(57)【特許請求の範囲】
【請求項１】
上部部材がランプを装備した下部部材に覆い被さって開閉可能に取付けられる街路灯において、前記上部部材の下面に下方へ突出して前記下部部材の上面に下端が近接して位置する下方突出壁を設け、この下方突出壁より内側で前記下部部材の上面に上方へ突出して上端が前記上部部材の下面に近接して位置する上方突出壁を設け、前記下方突出壁と前記上方突出壁との間に毛細管現象が生じない大きさの空間部が形成された街路灯であって、
前記下部部材は下部カバーとこれに固定され前記上方突出壁を形成した下部リングとを有し、前記下部カバーの周縁部上の全周に凸部を突出し、前記凸部に嵌合する凹部を前記下部リングに形成してなり、
前記空間部の底面は前記下部リングの前記上方突出壁より外周側の上面によって形成され、その上面は前記下部リングの外周端に向けて下り傾斜し、かつ前記外周端に前記下方突出壁の先端が近接し、
前記下部部材の前記上方突出壁の内面に略密着する別の下方突出壁を前記上部部材に設けたことを特徴とする街路灯。
【請求項２】
前記上部部材は上部カバーとこれに固定され下方突出壁を形成した上部リングとを有し、前記上部リングは前記上部カバーの周縁部の内側に沿ってせき用の突起を全周に立設した請求項１記載の街路灯。
【発明の詳細な説明】
【０００１】
【発明の属する技術分野】
この発明は、街路灯に関するものである。
【０００２】
【従来の技術】
図２（ａ）は従来の街路灯の概念図、（ｂ）はその上部部材を開けた状態の概念図、図３は図２のＡ部の拡大断面図である。図２に示すように、不透光性の上部グローブ５０が透光部のある下部グローブ５１に開閉可能に取付けられ、下部グローブ５１はポール状の本体５５の上端に固定されるとともに内部にランプが装着してある（図示せず）。また、上部グローブ５０と下部グローブ５１の着脱部分には防水機能と防虫機能が設けてある。例えば、図３に示すように、上部グローブ５０の下面に下方へ突出して下部グローブ５１の上面に下端が近接して位置する下方突出壁５２を設け、この下方突出壁５２より内側で下部グローブ５１の上面に上方へ突出して上端が上部グローブ５０の下面に近接して位置する上方突出壁５３を設けている。また、別の例として、上部グローブと下部グローブの着脱部分にゴム製のパッキンを介在させたものがある。
【０００３】
【発明が解決しようとする課題】
しかしながら、上記のように上部グローブと下部グローブの着脱部分にゴム製のパッキンを介在させたものでは、パッキンの劣化、はがれ等があった時、浸水、虫が入る等の問題があった。
【０００４】
また、図３のように下部グローブ５１に上部グローブ５０が覆い被さって設けられる構造においては、上方突出壁５３と下方突出壁５２を略密着していたため、毛細管現象により十分な防水性を確保することができなかった。
【０００５】
したがって、この発明の目的は、パッキン等の他の部品に委ねることなく、防水、防虫性能を有し、安定した品質を確保することができる街路灯を提供することである。
【０００６】
【課題を解決するための手段】
上記課題を解決するためにこの発明の請求項１記載の街路灯は、上部部材がランプを装備した下部部材に覆い被さって開閉可能に取付けられる街路灯において、前記上部部材の下面に下方へ突出して前記下部部材の上面に下端が近接して位置する下方突出壁を設け、この下方突出壁より内側で前記下部部材の上面に上方へ突出して上端が前記上部部材の下面に近接して位置する上方突出壁を設け、前記下方突出壁と前記上方突出壁との間に毛細管現象が生じない大きさの空間部が形成された街路灯であって、
前記下部部材は下部カバーとこれに固定され前記上方突出壁を形成した下部リングとを有し、前記下部カバーの周縁部上の全周に凸部を突出し、前記凸部に嵌合する凹部を前記下部リングに形成してなり、
前記空間部の底面は前記下部リングの前記上方突出壁より外周側の上面によって形成され、その上面は前記下部リングの外周端に向けて下り傾斜し、かつ前記外周端に前記下方突出壁の先端が近接し、
前記下部部材の前記上方突出壁の内面に略密着する別の下方突出壁を前記上部部材に設けたことを特徴とする。
【０００７】
このように、上部部材の下面に下方へ突出して下部部材の上面に下端が近接して位置する下方突出壁を設け、この下方突出壁より内側で下部部材の上面に上方へ突出して上端が上部部材の下面に近接して位置する上方突出壁を設け、下方突出壁と上方突出壁との間に毛細管現象が生じない大きさの空間部が形成されているので、下方突出壁と下部部材の上面の隙間から水が浸入したとしても、空間部により毛細管現象を阻止でき、それより内部に水が浸入することがない。また、パッキンを使用しないため、パッキンの劣化やはがれによる防水性能や防虫性能の欠如がなく、安定した品質を保つことが可能となる。さらに、器具組み立て時のパッキン貼付け不良等のトラブルがなくなるとともに部品削減できるため、安定した品質と低コスト化を図ることができる。
また下部部材の上方突出壁の内面に略密着する別の下方突出壁を上部部材に設けたので、仮に虫が空間部に入っても上方突出壁と別の下方突出壁の接触面により虫の侵入経路を長く確保できる。このため、虫が入り難く、防虫性能がさらに向上する。
【０００８】
請求項２記載の街路灯は、請求項１において、前記上部部材は上部カバーとこれに固定され下方突出壁を形成した上部リングとを有し、前記上部リングは前記上部カバーの周縁部の内側に沿ってせき用の突起を全周に立設したものである。
【０００９】
【発明の実施の形態】
この発明の実施の形態の街路灯を図１に基づいて説明する。図１はこの発明の実施の形態の街路灯の要部拡大断面図である。なお、図１は図２に示した街路灯のＡ部に相当する部分を示している。
【００１０】
図２と同様に上部グローブ１がランプ（図示せず）を装備した下部グローブ２に覆い被さって開閉可能に取付けられる。両グローブ１，２は樹脂等で形成される。図１に示すように、上部グローブ１は、上部に設けた不透光性の上部カバー３と、下部に設けた不透光性の上部リング４とからなる。上部カバー３の下端に内側に折曲した折曲部３ａが形成され、この折曲部３ａが上部リング４の上面に載置され接着等により固定される。また、上部カバー３と上部リング４の接合部の防水性は上部リング４上面に突設した突起４ｃがせきとなって保持される。下部グローブ２は、下部に設けた透光性の下部カバー５と、上部に設けた不透光性の下部リング６とからなる。図１に示すように下部カバー５の上端に外面を切欠いた段部５ａが形成されることにより凸部が形成され、この段部５ａが下部リング６の下部に設けた凹部６ｂに嵌合されねじ止めあるいは接着等により固定される。また、下部カバー５と下部リング６の接合部の防水性は段部５ａがせきとなって保持される。上部カバー３が不透光性であるのは、街路灯はランプ位置が高いので上方へ配光する必要がないからである。なお、ランプ位置が低い場合には上部カバー３は透光性でもよい。
【００１１】
上部グローブ１と下部グローブ２との着脱部分には、上部グローブ１の下面に設けた下方突出壁４ａと、下部グローブ２の上面に設けた上方突出壁６ａと、下方突出壁４ａと上方突出壁６ａとの間に形成した空間部１０とを備えている。この場合、上部リング４の下面に下方へ突出して下部リング６の上面に下端が近接して位置する下方突出壁４ａを設け、この下方突出壁４ａより内側で下部リング６の上面に上方へ突出して上端が上部リング４の下面に近接して位置する上方突出壁６ａを設け、下方突出壁４ａと上方突出壁６ａとの間に毛細管現象が生じないのに十分な大きさの空間部１０を形成している。空間部１０の下部となる下部リング６の上面は外方へ下り傾斜させ、この部分に水等が溜まらないようにしてある。また、上方突出壁６ａの内面に略密着する別の下方突出壁４ｂを上部リング４に設けている。
【００１２】
つぎに、上記構成の街路灯の作用について説明する。下方突出壁４ａと下部リング６の上面の隙間から水が浸入したとしても、空間部１０により毛細管現象を阻止でき、それより内部に水が浸入することがない。また、下部リング６の上面が外方へ下り傾斜しているので空間部１０に入った水を外部へ排出できる。
【００１３】
以上のようにこの実施の形態によれば、パッキンを使用しないため、パッキンの劣化やはがれによる防水性能や防虫性能の欠如がなく、安定した品質を保つことが可能となる。さらに、器具組み立て時のパッキン貼付け不良等のトラブルがなくなるとともに部品削減できるため、安定した品質と低コスト化を図ることができる。
【００１４】
また、下部グローブ２の上方突出壁６ａの内面に略密着する別の下方突出壁４ｂを上部グローブ１に設けたので、仮に虫が空間部１０に入っても上方突出壁６ａと別の下方突出壁４ａの接触面により虫の侵入経路を長く確保でき、防虫性能がさらに向上する。
【００１５】
なお、上部グローブ１と下部グローブ２は２部材から構成したが一体品でもよい。
【００１６】
【発明の効果】
この発明の街路灯によれば、上部部材の下面に下方へ突出して下部部材の上面に下端が近接して位置する下方突出壁を設け、この下方突出壁より内側で下部部材の上面に上方へ突出して上端が上部部材の下面に近接して位置する上方突出壁を設け、下方突出壁と上方突出壁との間に毛細管現象が生じない大きさの空間部が形成されているので、下方突出壁と下部部材の上面の隙間から水が浸入したとしても、空間部により毛細管現象を阻止でき、それより内部に水が浸入することがない。また、パッキンを使用しないため、パッキンの劣化やはがれによる防水性能や防虫性能の欠如がなく、安定した品質を保つことが可能となる。さらに、器具組み立て時のパッキン貼付け不良等のトラブルがなくなるとともに部品削減できるため、安定した品質と低コスト化を図ることができる。
【００１７】
また、下部部材の上方突出壁の内面に略密着する別の下方突出壁を上部部材に設けたので、仮に虫が空間部に入っても上方突出壁と別の下方突出壁の接触面により虫の侵入経路を長く確保できる。このため、虫が入り難く、防虫性能がさらに向上する。
【図面の簡単な説明】
【図１】この発明の実施の形態の街路灯の要部拡大断面図である。
【図２】（ａ）は従来の街路灯の概念図、（ｂ）はその上部部材を開けた状態の概念図である。
【図３】図２のＡ部の拡大断面図である。
【符号の説明】
１  上部グローブ
２  下部グローブ
４ａ  下方突出壁
４ｂ  別の下方突出壁
６ａ  上方突出壁
１０  空間部
【図１】
0003922832.tif 000002
【図２】
0003922832.tif 000003
【図３】
0003922832.tif 000004